(57)【特許請求の範囲】
【請求項１】
開口を有する容器本体に着脱自在に取り付けられ、前記開口を覆う樹脂製の蓋体であって、
天面部と、
前記天面部の周縁に連続して設けられた外周壁部とを備え、
前記外周壁部は、端縁から切り欠かれたナイフ口を形成可能な線状のナイフ口形成部を備え、
前記外周壁部は、
前記天面部の周縁から下方に垂設された第１側壁と、
前記第１側壁の周縁から外部に向けて延出し、前記天面部から１段低くなった段差部と、
前記段差部から垂下し、前記端縁を形成する第２側壁とを備え、
前記ナイフ口形成部は、
前記端縁から前記天面部に向って延設された一対の第１線部と、
前記第１線部に連なり、前記第１線部同士を接続する第２線部とを備え、
前記第２線部は、前記段差部に設けられ、前記端縁に対して離間する方向に湾曲した湾曲線とされていることを特徴とする蓋体。
【請求項２】
前記ナイフ口形成部は、
前記第２線部よりも前記端縁側で前記第１線部同士を接続する第３線部を備えていることを特徴とする請求項１に記載の蓋体。
【請求項３】
前記第２線部は、前記段差部の外面に形成された溝で構成されることを特徴とする請求項１または請求項２に記載の蓋体。
【請求項４】
前記第２線部は、前記段差部の内面に形成された溝で構成されることを特徴とする請求項１または請求項２に記載の蓋体。
【発明の詳細な説明】
【技術分野】
【０００１】
本発明は、蓋体に関する。
【背景技術】
【０００２】
従来、バター、マーガリン、ジャム、ヨーグルト等、半固形のゲル状食品を収容する容器として、バターナイフやへらなどを容器本体に入れたまま、蓋体にて開口部を閉塞できるように、蓋体の外周壁部にナイフ口を設けた構成が知られている。このナイフ口は、蓋体の外周壁部に矩形状に形成された薄肉状の切込み部（ナイフ口形成部）を切り取って形成される。
【０００３】
このような容器にゲル状食品が収容された商品の落下等により、蓋体の天板部に予期しない外圧が容器本体に向けて加わると、蓋体に亀裂が生じて天面部まで達することがある。すなわち、図６に示すように、互いに直交する第１直線部Ｌ１および第２直線部Ｌ２でナイフ口形成用の切込み部が構成される場合、外圧によって天板部が押されると、蓋体の外周壁部を外側に押し広げる力が生じるため、外周壁部の端縁から第１直線部Ｌ１に沿って亀裂ＣＲが生じ、この亀裂ＣＲが切込み部にて応力が集中する第２直線部Ｌ２との交点である矩形状の曲部ＣＰから天面部ＴＰへと向かうことがある。そこで、このような亀裂ＣＲを防止するように構成された蓋体が知られている（例えば、特許文献１参照）。
【先行技術文献】
【特許文献】
【０００４】
【特許文献１】特開２０１２−９１８３７号公報
【発明の概要】
【発明が解決しようとする課題】
【０００５】
しかしながら、特許文献１に記載されたような従来の蓋体は、切込み部の近傍を肉厚に形成する必要があるため、蓋体を薄肉化した場合に、ナイフ口から天面部に亀裂が生じることを防止できないという課題がある。
【０００６】
本発明の目的は、薄肉化した場合でも、ナイフ口から天面部に亀裂が生じることを防止できる蓋体を提供することにある。
【課題を解決するための手段】
【０００７】
本発明の蓋体は、開口を有する容器本体に着脱自在に取り付けられ、前記開口を覆う樹脂製の蓋体であって、天面部と、前記天面部の周縁に連続して設けられた外周壁部とを備え、前記外周壁部は、端縁から切り欠かれたナイフ口を形成可能な線状のナイフ口形成部を備え、前記ナイフ口形成部は、その曲部が曲線とされていることを特徴とする。
【０００８】
本発明によれば、ナイフ口形成部の曲部が曲線とされているため、落下等により天面部が押されてナイフ口形成部に亀裂が生じた場合でも、ナイフ口形成部の曲部に応力が集中することを防止できる。このため、ナイフ口形成部に生じた亀裂を当該ナイフ口形成部に沿って案内することができる。従って、蓋体を薄肉化した場合でも、ナイフ口から天面部に亀裂が生じることを防止できる。なお、ナイフ口形成部の亀裂は、商品性に影響しない。
【０００９】
本発明の蓋体において、前記ナイフ口形成部は、前記端縁から前記天面部に向って互いに平行に延設された第１線部と、前記第１線部に連なり、前記第１線部同士を接続する第２線部とを備え、前記第２線部は、前記端縁に対して離間する方向に湾曲した湾曲線とされていることが好ましい。
【００１０】
本発明によれば、直線状の第１線部と湾曲線状の第２線部とでナイフ口形成部が構成されるため、ナイフ口形成部を簡易な形状とすることができ、ナイフ口形成部を容易に形成することができる。
【００１１】
本発明の蓋体において、前記外周壁部は、前記天面部の周縁から下方に垂設された第１側壁と、前記第１側壁の周縁から外部に向けて延出し、前記天面部から１段低くなった段差部と、前記段差部から垂下し、前記端縁を形成する第２側壁とを備え、前記第２線部は、前記段差部に設けられていることが好ましい。
【００１２】
本発明によれば、落下等による蓋体への衝撃が段差部により吸収されるため、外周壁部を外側に押し広げる力を小さくすることができる。さらに、第２線部が段差部に設けられているため、ナイフ口形成部の応力集中を防止することができる。従って、ナイフ口から天面部に亀裂が生じることをより確実に防止できる。
【００１３】
本発明の蓋体において、前記第２線部は、前記段差部の外面に形成された溝で構成されてもよい。
【００１４】
本発明の蓋体において、前記第２線部は、前記段差部の内面に形成された溝で構成されてもよい。
【図面の簡単な説明】
【００１５】
【図１】本発明の第１実施形態に係る容器の全体を示す分解斜視図。
【図２】図１の蓋体の部分断面図。
【図３】本発明の第２実施形態に係る容器の全体を示す分解斜視図。
【図４】図３の蓋体の部分断面図。
【図５】本発明の変形例に係る蓋体の部分断面図。
【図６】従来の蓋体の部分断面図。
【発明を実施するための形態】
【００１６】
以下、本発明の各実施形態を図面に基づいて説明する。
なお、以下の記載において方向を表す場合、図１に示すように、容器本体２を下側にして容器１を置いた状態を基準とする。また、第２実施形態以降において、第１実施形態と同じ構成部材および同様な機能を有する構成部材には、第１実施形態の構成部材と同じ符号を付し、それらの説明を省略または簡略化する。
【００１７】
［第１実施形態］
図１において、容器１は、例えば、バター、マーガリン、ヨーグルトなどの食品を収容するものである。容器１は、上部に開口２Ａが形成された有底の容器本体２と、容器本体２に着脱自在に取り付けられ、開口２Ａを覆う有天の蓋体３とを備えている。容器本体２および蓋体３は、いずれも樹脂の射出成型品である。
【００１８】
［容器本体］
容器本体２は、略長方形で四隅が円弧状の底面部２１と、底面部２１の周縁から上方に向けて拡径するように立設された側面部２２と、側面部２２の上端縁に周方向に連続して設けられ、当該上端縁から外部に向けて水平に延出した鍔部２３と、鍔部２３から上方に立設され、開口２Ａの辺縁を形成する略四角枠状の立上側壁２４と、立上側壁２４に設けられ、バターナイフ等のナイフの柄部分を保持するためのナイフ保持口２５とを備えている。
【００１９】
立上側壁２４は、平面視にて略長方形枠状とされている。この立上側壁２４は、四隅に設けられた円弧状の本体側角部２４Ａと、開口２Ａを挟んで対向しかつ外側から把持される側の一対の本体側長辺部２４Ｂと、開口２Ａを挟みかつ本体側長辺部２４Ｂに対して略直角をなして対向する一対の本体側短辺部２４Ｃと、本体側角部２４Ａに設けられ、外側に突出するとともに、周方向に所定の長さを有した１条の本体側係合部２４Ｄとを備えている。
【００２０】
ナイフ保持口２５は、本体側短辺部２４Ｃの略中央部に設けられ、本体側短辺部２４Ｃの上端縁から矩形状に切り欠かれて形成されている。
【００２１】
［蓋体］
蓋体３は、天面部３１と、天面部３１の周縁に連続して設けられ、当該周縁から下方に垂設された外周壁部３２とを備えている。
天面部３１は、立上側壁２４の外周縁を覆う大きさを有し、短辺部と長辺部とからなる平面視略矩形状の板部である。この天面部３１の四隅は、円弧状に形成されている。
【００２２】
外周壁部３２は、天面部３１の周縁から下方に垂設された略四角枠状の第１側壁３３と、第１側壁３３の下端縁に周方向に連続して設けられ、当該下端縁から外部に向けて水平に延出し、天面部３１から１段低くなった段差部３４と、段差部３４の先端縁から垂下されて蓋体３の開口の辺縁を形成し、容器本体２への取付時に立上側壁２４の外側に位置する略四角枠状の第２側壁３５と、第２側壁３５の下端縁に周方向に連続して設けられ、当該下端縁から外部に向けて水平に僅かに延出した鍔部３６と、外周壁部３２の端縁から切り欠かれたナイフ口３Ａを形成可能な線状のナイフ口形成部３７と、ナイフ口形成部３７に囲まれた切除部３８とを備えている。
【００２３】
段差部３４は、主として、落下等による蓋体３への衝撃を吸収するために設けられている。段差部３４の幅寸法（水平方向の張り出し幅の寸法）は、厚さ寸法よりも大きく設定されるとともに、鍔部３６の幅寸法よりも大きく設定されている。
【００２４】
第２側壁３５は、平面視にて略長方形枠状とされている。この第２側壁３５は、四隅に設けられた円弧状の蓋体側角部３５Ａと、容器本体２の開口２Ａを挟んで対向しかつ外側から把持される側の一対の蓋体側長辺部３５Ｂと、開口２Ａを挟みかつ蓋体側長辺部３５Ｂに対して略直角をなして対向する一対の蓋体側短辺部３５Ｃと、蓋体側角部３５Ａに設けられ、内側に突出するとともに周方向に所定の長さを有し、本体側係合部２４Ｄと係脱する１条の蓋体側係合部３５Ｄとを備えている。
【００２５】
ナイフ口形成部３７は、図２にも示すように、外周壁部３２に線状の溝を設けて形成した線状の薄肉部であり、蓋体側短辺部３５Ｃに設けられ、その曲部が曲線とされている。ナイフ口形成部３７の輪郭は、外周壁部３２の端縁の２点に架け渡され、曲線状の隅部を有する門形を形成する。ナイフ口形成部３７は、蓋体３の先端縁から天面部３１に向って互いに平行に延設された第１線部３７Ａと、第１線部３７Ａに連なり、第１線部３７Ａ同士を接続する第２線部３７Ｂと、第２線部３７Ｂよりも蓋体３の先端縁側で第１線部３７Ａ同士を接続する直線状の第３線部３７Ｃと、第１線部３７Ａの端部（鍔部３６）に設けられた切欠部３７Ｄとを備えている。
第１線部３７Ａは、第２側壁３５に設けられている。第１線部３７Ａの間隔は、容器本体２のナイフ保持口２５の幅寸法に対応する。
第２線部３７Ｂは、段差部３４に設けられ、外周壁部３２の端縁に対して離間する方向に湾曲したＵ字状の湾曲線とされている。第２線部３７Ｂは、段差部３４の外面に形成された溝で構成される。
第３線部３７Ｃは、蓋体側短辺部３５Ｃに設けられ、段差部３４との境界線に沿って形成されている。
切欠部３７Ｄは、鍔部３６に設けられ、鍔部３６の基端側から先端側に向かって拡開した略Ｖ字状に形成されている。
【００２６】
このようなナイフ口形成部３７によってナイフ口３Ａを形成する場合、２本の第１線部３７Ａを下端から上端にかけて切断した後、第３線部３７Ｃに沿って切除部３８を上方に折り曲げる。これにより、外周壁部３２が下端縁から切り欠かれ、ナイフ口３Ａが形成される。この際、切除部３８は、第３線部３７Ｃで外周壁部３２に接続された状態としてもよいし、第３線部３７Ｃを切断して切除部３８を切除してもよい。また、第２線部３７Ｂを切断し、ナイフ口３Ａを大きくしてもよい。
【００２７】
一方、容器１に食品が収容された商品の落下等により、蓋体３の天面部３１が押されると、外周壁部３２を外側に押し広げる力が生じるため、ナイフ口形成部３７から亀裂が生じることがある。この場合でも、図２に示すように、ナイフ口形成部３７の曲部が曲線状とされていることで、当該曲部に応力Ｆが集中しないため、ナイフ口形成部３７に沿って亀裂を案内することができる。すなわち、第１線部３７Ａに対して湾曲した（曲線状の）第２線部３７Ｂが設けられているため、落下等により天面部３１が押されて第１線部３７Ａに亀裂が入っても、応力Ｆが曲線に沿って第２線部３７Ｂに案内され、亀裂が天面部３１に向かわない。
【００２８】
［実施形態の効果］
本実施形態によれば、ナイフ口形成部３７の曲部が曲線とされているため、落下等により天面部３１が押されてナイフ口形成部３７に亀裂が生じた場合でも、ナイフ口形成部３７の曲部に応力Ｆが集中することを防止できる。このため、ナイフ口形成部３７に生じた亀裂を当該ナイフ口形成部３７に沿って案内することができる。従って、蓋体３を薄肉化した場合でも、ナイフ口３Ａから天面部に亀裂が生じることを防止できる。
【００２９】
また、直線状の第１線部３７Ａと湾曲線状の第２線部３７Ｂとでナイフ口形成部３７が構成されるため、ナイフ口形成部３７を簡易な形状とすることができ、ナイフ口形成部３７を容易に形成することができる。
【００３０】
また、落下等による蓋体３への衝撃が段差部３４により吸収されるため、外周壁部３２を外側に押し広げる力を小さくすることができる。さらに、第２線部３７Ｂが段差部３４に設けられているため、ナイフ口形成部３７の応力集中を防止することができる。従って、ナイフ口３Ａから天面部３１に亀裂が生じることをより確実に防止できる。
【００３１】
［第２実施形態］
本実施形態に係る容器１は、図３および図４に示すように、蓋体３のナイフ口形成部３９の形状が第１実施形態と相違する。
ナイフ口形成部３９は、先端縁から天面部３１に向って互いに平行に延設された第１線部３７Ａと、第１線部３７Ａに連なり、第１線部３７Ａ同士を接続する第２線部３７Ｅと、第１線部３７Ａの端部に設けられた切欠部３７Ｄとを備えている。
第２線部３７Ｅは、第２側壁３５に設けられ、外周壁部３２の端縁に対して離間する方向に湾曲したＵ字状の湾曲線とされている。第２線部３７Ｅの上端は、第２側壁３５と段差部３４との境界に接している。
【００３２】
本実施形態によっても、第１実施形態と同様の効果が得られる。すなわち、図４に示すように、第１線部３７Ａに対して湾曲した（曲線状の）第２線部３７Ｅが設けられているため、落下等により天面部３１が押されて第１線部３７Ａに亀裂が入っても、応力Ｆが曲線に沿って第２線部３７Ｅに案内され、亀裂が天面部３１に向かわない。
また、ナイフ口形成部３９が第１線部３７Ａおよび第２線部３７Ｅで構成されるため、ナイフ口形成部３９を簡易な形状とすることができる。
【００３３】
［変形例］
本発明は、前記実施形態に限定されるものではなく、本発明の目的を達成できる範囲での変更等は、本発明に含まれる。
例えば、容器本体２および蓋体３は、射出成形品に限られない。例えば、容器本体２および蓋体３は、惣菜用や弁当用に使い捨てされるため寸法精度がそれ程要求されない場合、シート成形など、他の成形方法で成形したものでもよい。
【００３４】
蓋体３は、段差部３４がないものであってもよい。すなわち、蓋体３は、第１側壁３３の下端縁から第２側壁３５が垂下されて外周壁部３２が構成されてもよい。この場合、第２側壁３５にナイフ口形成部３７、３９を設けたり、第２側壁３５から第１側壁３３にかけてナイフ口形成部３７、３９を設けたりすることができる。
ナイフ口形成部３７、３９は、その曲部が曲線とされていれば、前記実施形態以外の形状であってもよい。例えば、ナイフ口形成部３７、３９は、第１線部３７Ａおよび第２線部３７Ｂ、３７Ｅを１つの連続する円弧状に形成してもよい。
ナイフ口形成部３７、３９は、溝以外のもので構成してもよい。例えば、外周壁部３２を部分的に加熱したり冷却したりして、当該部分を切断しやすいように改質または変質させたものでナイフ口形成部３７、３９を構成してもよいし、外周壁部３２に形成したミシン目でナイフ口形成部３７、３９を構成してもよい。
ナイフ口形成部３７、３９は、蓋体側長辺部３５Ｂに設けられてもよい。この場合、ナイフ保持口２５を本体側長辺部２４Ｂに設ける必要がある。
第２線部３７Ｂは、図５に示すように、段差部３４の内面に形成された溝で構成されてもよい。
第２線部３７Ｂ、３７Ｅは、例えば、外周壁部３２の端縁に対して離間する方向に湾曲した円弧状の湾曲線であってもよいし、波形状の湾曲線であってもよい。
【００３５】
本体側係合部２４Ｄや蓋体側係合部３５Ｄは、本体側角部２４Ａや蓋体側角部３５Ａに複数設けられていてもよい。
【００３６】
容器１では、各種食卓用小刀やへらなど、容器本体２に収容されたゲル状物などの収容物を取り出し可能な各種小刀状の物が利用できる。また、当該小刀状の物としては、金属製、木製、磁器製など、各種部材のものを対象とすることができる。
【００３７】
本発明は、バター、マーガリン、ジャム、ヨーグルト等の食品を収容する容器として好適に利用できる。
【符号の説明】
【００３８】
１…容器、２…容器本体、２Ａ…開口、３…蓋体、３Ａ…ナイフ口、２１…底面部、２２…側面部、２３…鍔部、２４…立上側壁、３１…天面部、３２…外周壁部、３３…第１側壁、３４…段差部、３５…第２側壁、３６…鍔部、３７…ナイフ口形成部、３７Ａ…第１線部、３７Ｂ…第２線部。
【図１】
0006674294.tif 000002
【図２】
0006674294.tif 000003
【図３】
0006674294.tif 000004
【図４】
0006674294.tif 000005
【図５】
0006674294.tif 000006
【図６】
0006674294.tif 000007